(57)【要約】 【課題】  本発明は道路構築部分に洪水等が発生した際にこれの被害が及ばない様に構成した道路の提供を図る。【解決手段】  地盤１と道路構築物３との間に、地盤１上の水の流通を妨げないための空間構築物２を介在させるように構成した道路。【選択図】  図１
2015121025.tif 000002
【特許請求の範囲】
【請求項１】
地盤(１)と道路構築物(３)との間に、地盤(１)上の水の流通を妨げないための空間構築物(２)を介在させるように構成した道路。
【請求項２】
側方に水が流出しないように脚体部(4a)を両側部に形成した道路構築体(４)を地盤上に構築すると共に、当該脚体部間に、土（１立方メートル当たり１．７トン）より軽いプラスチック製（１立方メートル当たり５０Ｋｇ）ブロック５を介在させることにより、軟弱地盤でも道路構築物(４)が沈下しないように構成した道路。
【発明の詳細な説明】
【技術分野】
【０００１】
本発明は、東南アジアのように雨季のある地域、或いは、湿地帯、洪水が生じやすい地域、すなわち、雨水がすぐに地表に流れ出してしまうような地域に於いて、当該雨水の流れ出しの影響を受けない様に構成した道路に関する。
【背景技術】
【０００２】
従来、水による被害、例えば地盤の液状化現象を阻止する手段としては、地盤自体を予め液状化しない様にするための土地改良工事を行うことを通例とした（例えば、特許文献１及び特許文献２参照。）
【先行技術文献】
【特許文献】
【０００３】
【特許文献１】特開２０１３−１０８２９９号公報
【特許文献２】特開２０１３−１５９９８７号公報
【発明の概要】
【発明が解決しようとする課題】
【０００４】
上述したような予め土地の改良工事を行うものであると、その対象範囲が著しく広いものとされ、改良工事に要する費用は莫大なものとされる。  そして、水による被害の範囲も、実際にその事態が生じなければ正確には掌握できないものである。
【０００５】
本発明は道路構築部分に洪水等が発生した際に、構築されている道路に対して被害が及ばない様に構成したことを特徴とする道路の提供を図ったものである。
【課題を解決するための手段】
【０００６】
本発明は請求項１に記載のように、地盤１と道路構築物３との間に、地盤上の水の流通を妨げないための空間構築物２を介在させるように構成した道路に係る。
【０００７】
本発明は請求項２に記載のように、側方に水が流出しないように脚体部4aを両側部に形成した道路構築体４を地盤上に構築すると共に、当該脚体部間に、土（１立方メートル当たり１．７トン）より軽いプラスチック製（１立方メートル当たり５０Ｋｇ）ブロック５を介在させることにより、軟弱地盤でも道路構築物４が沈下しないように構成した道路に係る。
【発明の効果】
【０００８】
本発明は請求項１に記載のような構成、すなわち、地盤１と道路構築物３との間に、地盤上の水の流通を妨げないための空間構築物２を介在させるように構成したから、降雨に基づく増水（地震発生時に地盤から浮き出す水も含む）、或いは、傾斜地等からの流水（洪水等）が、空間構築物２の間を通り抜けるとによって、道路構築物３に対して被害を及ぼすことがない。
【０００９】
更に、当該空間構築物２の形成空間の大きさによっては、昆虫及び小動物の行き来が可能化され、道路構築物３の存在が障害物化することがないから、道路の建設が自然環境を阻害すると言うような問題発生を未然に防止する。
【００１０】
本発明は請求項２に記載のような構成を採用したから、軟弱地盤であっても道路構築物が沈下しない。
【図面の簡単な説明】
【００１１】
【図１】本発明の全体を表した説明用縦断正面図である。
【図２】本発明に用いる構築用枠体の一例を表した平面図である。
【図３】同上一部切欠正面図である。
【図４】本発明の他の示指令を表した説明用縦断正面図である。
【発明を実施するための形態】
【００１２】
図１において、１は地盤、２は当該地盤１の上面に設けた空間構築物であって、その上面には道路構築物３が形成してある。  すなわち、道路構築物３は地盤１の上に空間構築物２を介して形成するように構成してある。
【００１３】
上記した空間構築物２であるが、これは、道路構築物２の下面部分に対して、洪水時の水の流通、各種の昆虫類の通り抜け、或いは小動物の通路、としての役割を果たすための空間を提供するためのものである。  従って、当該空間構築物２は上記の役割に適した大きさの空間を具えたものを構築する。
【００１４】
上記した空間構築物２を形成するための手段としては、特開２００１−３５５２５９号公報、特開２００１−３５５２５９号公報に掲載されているようなブロック状の構造物の用いることが望ましい。  このようなブロックを用いることにより、構築の容易性、迅速性、強度性が得られることとなるが、これ以外の手段に依ることも可とする。
【００１５】
図２及び図３は上記したブロックの一例を表したものである。  同図に於いて、ａは矩形状基盤であって、その一面には柱状部ｂが形成してある。  そして、このような形態のブロック二つを一対とし、互いの柱状部ｂの先端を連結したものを多数用意し、これを前後左右に連結することにより、空間構築物２が形成される。
【００１６】
本発明は、地盤１と道路構築物３との間に所要の空間を形成することにより、降雨に基づく増水（地震発生時に地盤から浮き出す水も含む）、或いは、傾斜地等からの流水（洪水等）が、空間構築物２の間を通り抜けるとによって、道路構築物３に対して被害が及ばない様にしたことを特徴とするものである。
【００１７】
従って、下記するような構成は本発明の実施態様とするものである。  
【００１８】
１．空間構築物２として、ブロック状の構造物の組立に基づき構築したものとする。
２．空間構築物２として、水の流通を妨げない程度の空間を具えたものとする。
３．空間構築物２として、昆虫類の通過を妨げない程度の空間を具えたものとする。
４．空間構築物２として、小動物の通過を妨げない程度の空間を具えたものとする。
【００１９】
図４は本発明の他の実施例を表したものであって、側方に水が流出しないように脚体部４aを両側部に形成した道路構築物４を用い、その下部には、土（１立方メートル当たり１．７トン）より軽いプラスチック製（１立方メートル当たり５０Ｋｇ）ブロック５を介在させることにより、軟弱地盤でも道路構築物４が沈下しないように構成したものである。
本発明はこのような形態で実施する場合もある。
【符号の説明】
【００２０】
１  地盤
２  空間構築物
３  道路構築物
ａ  基盤
ｂ  柱状部
【図１】
2015121025.tif 000003
【図２】
2015121025.tif 000004
【図３】
2015121025.tif 000005
【図４】
2015121025.tif 000006
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
地盤(１)と道路構築物(３)との間に、地盤(１)上の水の流通を妨げないための空間構築物(２)を介在させるように構成した道路。
【請求項２】
側方に水が流出しないように脚体部(4a)を両側部に形成した道路構築体(４)を地盤上に構築すると共に、当該脚体部間に、土より軽いプラスチック製ブロック(５)を介在させることにより、軟弱地盤でも道路構築物(４)が沈下しないように構成した道路。
【手続補正２】
【補正対象書類名】明細書
【補正対象項目名】全文
【補正方法】変更
【補正の内容】
【発明の詳細な説明】
【技術分野】
【０００１】
本発明は、東南アジアのように雨季のある地域、或いは、湿地帯、洪水が生じやすい地域、すなわち、雨水がすぐに地表に流れ出してしまうような地域に於いて、当該雨水の流れ出しの影響を受けない様に構成した道路に関する。
【背景技術】
【０００２】
従来、水による被害、例えば地盤の液状化現象を阻止する手段としては、地盤自体を予め液状化しない様にするための土地改良工事を行うことを通例とした（例えば、特許文献１及び特許文献２参照。）
【先行技術文献】
【特許文献】
【０００３】
【特許文献１】特開２０１３−１０８２９９号公報
【特許文献２】特開２０１３−１５９９８７号公報
【発明の概要】
【発明が解決しようとする課題】
【０００４】
上述したような予め土地の改良工事を行うものであると、その対象範囲が著しく広いものとされ、改良工事に要する費用は莫大なものとされる。  そして、水による被害の範囲も、実際にその事態が生じなければ正確には掌握できないものである。
【０００５】
本発明は道路構築部分に洪水等が発生した際に、構築されている道路に対して被害が及ばない様に構成したことを特徴とする道路の提供を図ったものである。
【課題を解決するための手段】
【０００６】
本発明は請求項１に記載のように、地盤１と道路構築物３との間に、地盤上の水の流通を妨げないための空間構築物２を介在させるように構成した道路に係る。
【０００７】
本発明は請求項２に記載のように、側方に水が流出しないように脚体部4aを両側部に形成した道路構築体４を地盤上に構築すると共に、当該脚体部間に、土より軽いプラスチック製ブロック５を介在させることにより、軟弱地盤でも道路構築物４が沈下しないように構成した道路に係る。
【発明の効果】
【０００８】
本発明は請求項１に記載のような構成、すなわち、地盤１と道路構築物３との間に、地盤上の水の流通を妨げないための空間構築物２を介在させるように構成したから、降雨に基づく増水（地震発生時に地盤から浮き出す水も含む）、或いは、傾斜地等からの流水（洪水等）が、空間構築物２の間を通り抜けるとによって、道路構築物３に対して被害を及ぼすことがない。
【０００９】
更に、当該空間構築物２の形成空間の大きさによっては、昆虫及び小動物の行き来が可能化され、道路構築物３の存在が障害物化することがないから、道路の建設が自然環境を阻害すると言うような問題発生を未然に防止する。
【００１０】
本発明は請求項２に記載のような構成を採用したから、軟弱地盤であっても道路構築物が沈下しない。
【図面の簡単な説明】
【００１１】
【図１】本発明の全体を表した説明用縦断正面図である。
【図２】本発明に用いる構築用枠体の一例を表した平面図である。
【図３】同上一部切欠正面図である。
【図４】本発明の他の実施例を表した説明用縦断正面図である。
【発明を実施するための形態】
【００１２】
図１において、１は地盤、２は当該地盤１の上面に設けた空間構築物であって、その上面には道路構築物３が形成してある。  すなわち、道路構築物３は地盤１の上に空間構築物２を介して形成するように構成してある。
【００１３】
上記した空間構築物２であるが、これは、道路構築物２の下面部分に対して、洪水時の水の流通、各種の昆虫類の通り抜け、或いは小動物の通路、としての役割を果たすための空間を提供するためのものである。  従って、当該空間構築物２は上記の役割に適した大きさの空間を具えたものを構築する。
【００１４】
上記した空間構築物２を形成するための手段としては、特開２００１−３５５２５９号公報に掲載されているようなブロック状の構造物の用いることが望ましい。  このようなブロックを用いることにより、構築の容易性、迅速性、強度性が得られることとなるが、これ以外の手段に依ることも可とする。
【００１５】
図２及び図３は上記したブロックの一例を表したものである。  同図に於いて、ａは矩形状基盤であって、その一面には柱状部ｂが形成してある。  そして、このような形態のブロック二つを一対とし、互いの柱状部ｂの先端を連結したものを多数用意し、これを前後左右に連結することにより、空間構築物２が形成される。
【００１６】
本発明は、地盤１と道路構築物３との間に所要の空間を形成することにより、降雨に基づく増水（地震発生時に地盤から浮き出す水も含む）、或いは、傾斜地等からの流水（洪水等）が、空間構築物２の間を通り抜けることによって、道路構築物３に対して被害が及ばない様にしたことを特徴とするものである。
【００１７】
従って、下記するような構成は本発明の実施態様とするものである。  
【００１８】
１．空間構築物２として、ブロック状の構造物の組立に基づき構築したものとする。
２．空間構築物２として、水の流通を妨げない程度の空間を具えたものとする。
３．空間構築物２として、昆虫類の通過を妨げない程度の空間を具えたものとする。
４．空間構築物２として、小動物の通過を妨げない程度の空間を具えたものとする。
【００１９】
図４は本発明の他の実施例を表したものであって、側方に水が流出しないように脚体部４aを両側部に形成した道路構築物４を用い、その下部には、土（１立方メートル当たり１．７トン）より軽いプラスチック製（１立方メートル当たり５０Ｋｇ）ブロック５を介在させることにより、軟弱地盤でも道路構築物４が沈下しないように構成したものである。
本発明はこのような形態で実施する場合もある。
【符号の説明】
【００２０】
１  地盤
２  空間構築物
３  道路構築物
ａ  基盤
ｂ  柱状部